(57)【要約】      （修正有）【課題】種まきから始める野菜の栽培を家庭で簡単にかつ衛生的に行い、収穫後の培地の後始末も簡単にできる野菜栽培器具を提供する。【解決手段】貯水容器１と、貯水容器１に内装され底面に多数の穴が形成された栽培容器２と、栽培容器２の底面上に置かれた固化培地３と、固化培地３に貯水容器１内の水４を給水する給水ひも５と、貯水容器１の底面に設置された脚部６からなる野菜栽培器具であって、固化培地３は、ピートモスを主体とし、所定厚みを有する基部１６から盛り上がる畝１７を有し、各畝１７の頂部に筋状に種まき用の凹み１８が形成されている。水の管理と間引きが簡単に行え、固化培地３は可燃ゴミとして廃棄できる。【選択図】図２
2014000073.tif 000002
【特許請求の範囲】
【請求項１】
貯水容器と、前記貯水容器に内装され底面に穴が形成された栽培容器と、前記栽培容器の底面上に置かれた固化培地と、前記固化培地に前記貯水容器内の水を給水する給水ひもからなり、前記栽培容器の底面は前記貯水容器の底面より所定距離上方に位置し、前記固化培地には畝が形成され、前記畝の頂部に筋状に種まき用の凹みが形成され、前記給水ひもは前記固化培地に接触し、前記栽培容器の底面に形成された穴を通して前記貯水容器内の水中に下り、毛細管現象により前記固化培地に給水することを特徴とする野菜栽培器具。
【請求項２】
前記凹みの断面が略Ｖ字形であることを特徴とする請求項１に記載された野菜栽培器具。
【請求項３】
前記固化培地が、穴が形成されたベース部と前記穴に嵌脱可能なブロック部からなり、前記ブロック部に前記畝及び凹みが形成されていることを特徴とする請求項１又は２に記載された野菜栽培器具。
【請求項４】
前記ベース部に形成された穴が閉じた底面を有することを特徴とする請求項３に記載された野菜栽培器具。
【請求項５】
前記固化培地はピートモスを主体とすることを特徴とする請求項１〜４のいずれかに記載された野菜栽培器具。
【請求項６】
前記栽培容器の前記固化培地が置かれる底面に、前記給水ひもを通す穴のほか多数の穴が形成されていることを特徴とする請求項１〜５のいずれかに記載された野菜栽培器具。
【請求項７】
前記貯水容器の底面に脚部が設置され、前記脚部により底面が設置面から浮いた状態とされ、前記脚部の周囲に銅材が巻かれていることを特徴とする請求項１〜６のいずれかに記載された野菜栽培器具。
【発明の詳細な説明】
【技術分野】
【０００１】
本発明は、固化培地にひも給水を利用して下方の貯水容器から給水する野菜栽培器具に関する。
【背景技術】
【０００２】
家庭のベランダ等で野菜を栽培する場合は、一般的にプランターに土を入れ、苗を植え又は種をまいて栽培する。野菜（主として葉野菜や根野菜）の種をまいて栽培する場合、発芽直後、本葉が出たとき、本葉が５，６枚になったときなど、成長過程で順次、葉が重ならない程度にこまめに間引きを行う必要がある。間引きを行うことで最終的に残す野菜は大きく成長し、また、間引きにより野菜（間引き菜）を随時収穫できるという利点があり、この利点は一般に栽培場所が限られる都市部の一般家庭で重宝されるものと思われる。
しかし、野菜の間引きは相当に面倒な作業である。種を培地に筋まきしたつもりでも、実際に発芽してくると二次元的に密植状態となっていることも多く、成長するにつれ葉がもじゃもじゃと絡み合い、間引きする幼野菜（成長途上の野菜）の茎がつまみにくいだけでなく、間引きするとき周りの幼野菜の葉を引っ掛けて千切ったり、一緒に引き抜いたりすることも多い。
【０００３】
また、プランターによる野菜の栽培は、畑地と違い、水の管理（水やり）が意外と難しい。一度にやり過ぎてもよくないし、特に夏場は水やりを忘れると１日か２日ですぐにしなえて枯れてしまう。なお、植物の水の管理を簡略化する方法としていわゆるひも給水が知られている（例えば特許文献１〜３参照）。ひも給水とは、栽培容器の底の穴を通して給水ひも（主として帯状の給水部材）を下方の給水容器内の水又は肥料入りの水（養液）の中に下げ、ひもの毛細管現象によって栽培容器内の土に水又は養液を供給するものである。給水ひもの材質は、例えばタオル地、フェルト、不織布、極太繊維紐、セルローススポンジなどの親水性に富み、毛細管現象によって水を吸い上げる作用の強い素材が好適に用いられる。
【０００４】
さらに、プランターで栽培すると、ナメクジが寄りつき、食害が発生し不衛生であるという問題もある。ナメクジの忌避剤や退治薬はあるが、野菜の栽培ではなるべく使いたくないというのが一般的心情である。なお、植物の栽培容器にナメクジを寄せ付けない方法として、銅線で形成した支持具で栽培容器を設置面から浮かせて支持したり、栽培容器の底面を銅材で構成することが知られている（例えば特許文献４，５参照）。
さらに野菜の収穫が終わった後、不要になった土は最終的に不燃埋立ゴミとして処分することになるが、自宅栽培が盛んに行われて不燃埋立ゴミが大量に出るようになると、処分場を抱える自治体としては望ましくない。
【先行技術文献】
【特許文献】
【０００５】
【特許文献１】特開２００５−２７６１７号公報
【特許文献２】特開２００５−４０００９号公報
【特許文献３】特開２００７−６７２９号公報
【特許文献４】特開平８−３８３２２号公報
【特許文献５】特開２０００−３４２０７４号公報
【発明の概要】
【発明が解決しようとする課題】
【０００６】
本発明は、家庭のベランダ等で野菜を栽培する場合に生じる上記問題点に鑑み、家庭で簡単にかつ衛生的に野菜を栽培でき、収穫後の後始末も簡単にできる野菜栽培器具を提供することを目的とする。
【課題を解決するための手段】
【０００７】
本発明に係る野菜栽培器具は、貯水容器と、前記貯水容器に内装され底面に穴が形成された栽培容器と、前記栽培容器の底面上に置かれた固化培地と、前記固化培地に前記貯水容器内の水（養液を含む）を給水する給水ひもからなる。前記栽培容器の底面は前記貯水容器の底面より所定距離上方に位置し、前記固化培地には畝が形成され、前記畝の頂部に筋状に種まき用の凹みが形成されている。前記給水ひもは前記固化培地に接触し、前記栽培容器の底面に形成された穴を通して前記貯水容器内の水中に下（さが）り、毛細管現象により前記固化培地に給水する。給水ひもとして給水面積の大きい帯状のひもが望ましい。
上記野菜栽培器具は、望ましくは例えば以下のような実施形態を有する。（１）前記凹みの断面が略Ｖ字形であること、（２）前記固化培地が、穴が形成されたベース部と前記穴に嵌脱可能なブロック部からなり、前記ブロック部に前記畝及び凹みが形成されていること、（３）前記ベース部に形成された穴が閉じた底面を有すること、（４）前記固化培地はピートモスを主体として構成されていること、（５）前記栽培容器の前記固化培地が置かれる底面に、前記給水ひもを通す穴のほか多数の穴が形成されていること、（６）前記貯水容器の底面に脚部が設置され、前記脚部により底面が野菜栽培器具の設置面から浮いた状態とされ、前記脚部の周囲に銅材が巻かれていること。
【発明の効果】
【０００８】
本発明に係る野菜栽培器具を使用するにあたっては、貯水容器に水（養液を含む）を所定深さに入れ、固化培地の畝の頂部に形成された筋状の凹みに適宜の密度で種まきをして、例えば家庭のベランダ等に置く。貯水容器の水は給水ひもを伝って固化培地に適度に供給され、種子は前記凹みで発芽し、畝の頂部で筋状に列をなして成長する。幼野菜が高くなった畝の頂部で、従来のように二次元的でなく筋状（いうなれば一次元的）に発芽し成長するため、当初かなり密植していても、間引きする幼野菜の茎が手でつまみやすく、間引きするとき周りの幼野菜の葉を引っ掛けて千切ったり、一緒に引き抜いたりすることも少なくなる。
【０００９】
給水はひも給水で行うため、水やりの手間が省けるだけでなく水のやり過ぎ（過湿）も自然に防止でき、水の管理は容易である。固化培地の畝の頂部に種まき用の凹みを形成したことにより、発芽・生長する野菜の位置が高く通気性がよいことも、固化培地の過湿を防止し、根腐れを防止するのに役立つ。また、栽培容器の底面に多数の穴を形成した場合、前記穴を通して固化培地の底面の一部（前記穴を通して下に伸びる野菜の根も）が空気に直接触れるようになり、これも過湿及び根腐れを防止するのに役立つ。
【００１０】
前記凹みの断面が略Ｖ字形であるとき、凹みの両壁の幅が底に向かうほど狭くなるため、まいた種は凹みの両壁の間に挟まれて保持された形となり、発芽や発根の仕方が安定する。
前記固化培地が穴が形成されたベース部と前記穴に嵌脱可能なブロック部からなり、前記ブロック部に前記畝及び凹みが形成されているとき、例えば野菜を収穫後に、ブロック部を取り替えるのみで、新たな野菜の栽培が可能となるので、ゴミの発生量が減り、コスト的にも有利となる。また、ベース部からブロック部を取り除き、ポット苗（土付き苗）を土付きのまま穴に入れて育てることもできる。
【００１１】
固化培地がピートモスを主体とするとき、多孔質で通気性に優れ、適度に保水性もあるので、ひも給水により水管理を行う野菜栽培に特に適する。加えて、ピートモスを主体とする固化培地は、使用できなくなったときや不要になったとき、可燃ゴミとして廃棄できるので、従来のように不燃埋立ゴミが大量に出ることもない。
貯水容器の底面に脚部を設置し、その脚部により貯水容器の底面を設置面（例えばコンクリート面や地面）から浮いた状態とし、かつ脚部の周囲に銅材を巻いた場合、当該脚部が接地面から近づこうとするナメクジを寄せ付けない。脚部の周囲に銅材を巻くという簡単な手段により、清潔安全な野菜栽培ができる。    
【図面の簡単な説明】
【００１２】
【図１】本発明に係る野菜栽培器具（右半部に固化培地を載置）の平面図である。
【図２】本発明に係る野菜栽培器具の正面断面（畝に対し垂直な断面）図である。
【図３】本発明に係る野菜栽培器具の側面断面（畝に対し平行な断面）図である。
【図４】本発明に係る別の野菜栽培器具の正面断面図である。
【図５】その固化培地の正面断面図である。
【図６】本発明に係る別の固化培地の正面断面図である。
【図７】本発明に係るさらに別の野菜栽培器具の正面断面図である。
【図８】その平面図である。
【図９】本発明に係るさらに別の野菜栽培器具の正面断面図である。
【発明を実施するための形態】
【００１３】
以下、図１〜９を参照して、本発明に係る野菜栽培器具について具体的に説明する。
図１〜３に示す野菜栽培器具は、貯水容器１と、貯水容器１に内装され底面に多数の穴が形成された栽培容器２と、栽培容器２の底面上に置かれた固化培地３と、固化培地３に貯水容器１内の水４を給水する給水ひも５と、貯水容器１の底面に設置された脚部６からなる。
貯水容器１はプラスチック製で、全体として四角いトレー状であり、平らな底面７と４つの側面８から構成され、側面８の一部にオーバーフロー穴９が形成されている。
【００１４】
栽培容器２はプラスチック製で、全体として四角いトレー状であり、平らな底面１１と４つの側面１２から構成され、側面１２の全周に形成されたフランジ部１３が貯水容器１の側壁上部に係止されて、貯水容器１内に配置される。栽培容器２の底面１１は、貯水容器１の底面７より所定距離上方に位置し、より具体的にはオーバーフロー穴９の下限位置より上方に位置し、当然水４の水面より上方に位置している。この底面１１には多数の穴１４，１５が左右対称形状に形成されている。このうち、左右の半部にそれぞれ形成された一対の長穴１４，１４が、給水ひも５を通す穴である。
【００１５】
固化培地３は、平面視で略四角形をなし、栽培容器２の底面１１上に２個置かれる。固化培地３の断面をみると、所定厚みを有する基部１６から盛り上がる各３個の畝１７が同方向に形成され、各畝１７の頂部に筋状に種まき用の凹み１８が形成されている。
固化培地３として、ピートモスを主体とする固化培地を好適に用いることができる。固化培地は、培土基材を栽培時に容易に崩れずかつ野菜の生長を阻害しない程度の硬さに固化剤で固化したものである。例えば特許第３４２５４３１，３８４７２１２，４７４０４７１号公報に、培土基材としてピートモス等を用い、固化剤として残部１〜１５質量％の熱融着性繊維を用いた固化培地が記載されており、これらを本発明の固化培地３として利用できる。固化培地３はピートモスを固化培地全体の５０質量（乾燥質量）％以上、望ましくは７０質量％以上を含み、より望ましくは培土基材の全てがピートモスである。
【００１６】
給水ひも５は、幅の広い帯状のひもからなり、一対の長穴１４，１４に通して配置される。給水ひも５の中央部は、栽培容器２の底面１１と固化培地３の底面との間に挟まれている。給水ひも５の両端部は、長穴１４，１４から下方に出て貯水容器１の水４の中に入り、下端は貯水容器１の底面７に達している。給水ひも５の素材は、親水性に富み、毛細管現象によって水を吸い上げる作用の強い材質であれば、特に限定されない。
【００１７】
貯水容器１の底面７のコーナー部近傍に上向きの凹部１９が形成され、凹部１９内に脚部６の先端が嵌合している。脚部６は軸部２１と下端の接地部２２からなり、軸部２１の先端が凹部１９に嵌合し、接地部２２は軸部２１より大径とされている。貯水容器１は底面７において脚部６に支持され、底面７が設置面２３（図２参照）から浮いた状態となっている。また、軸部２１の周囲には銅線２４がコイル状に巻かれている。
【００１８】
上記野菜栽培器具を使用する手順は、例えば、貯水容器１を家庭のベランダ等に置いて適当な水位に水を入れ、栽培容器２の穴１４，１４に給水ひも５を通して下に垂らし、栽培容器２内に固化培地３を置き（この例では２個）、栽培容器２を貯水容器１内に装着する。肥料は固形肥料を固化培地３に置くか、液状肥料を貯水容器１に入れるとよい。
次いで、固化培地３の畝１７の頂部に形成された筋状の凹み１８に、適宜の密度で野菜（主として葉野菜及び根野菜）の種をそれぞれ一列にまく。その後、貯水容器１内に水がなくならないように気を付けるほか、野菜の発芽及び成長に伴って随時、間引きを行う。発芽・生長する野菜２５は根を固化培地３の中に延ばし、さらに穴１４，１５から下方の貯水容器１に延ばす。
上記野菜栽培器具によれば、水管理や間引きが従来に比べて容易で、随時間引き菜を収穫でき、ナメクジの被害に遭うことがない。また、使用後の固化培地３が再使用できなくなったとき（例えば使用によりひどく形崩れしたときなど）、新しい固化培地３に適宜交換し、不要になった固化培地３は可燃ゴミとして廃棄することができる。
【００１９】
図４に別の野菜栽培器具を示す。図４において、図１〜３の野菜栽培器具の各部位に対応する部位に同じ番号を付与し、かつ番号の末尾に符号Ａを付記している。  
この野菜栽培器具において、図１〜３の野菜栽培器具との主たる相違点は、固化培地３Ａに畝１７Ａが１つだけ形成されている点と、畝１７Ａの頂部に形成された筋状の凹み１８ＡがＶ字形をなしている点である。
【００２０】
図１〜３の野菜栽培器具では、凹み１８の断面が頂部から底部までほぼ同じ幅で形成されている。このため、図６（ａ）に示すように、種子２６のサイズが溝幅より相対的に小さい場合、種子２６が凹み１８の底部に不安定に載り、発芽したとき重量バランスが崩れて凹み１８内で転び、以後斜めに生育する可能性がある。あるいは図６（ｂ）に示すように、発根したとき伸びた根が種子２６を持ち上げてしまう浮き根という現象が生じる可能性がある。
【００２１】
一方、Ｖ字形の凹み１８Ａは、図５に示すように、断面の両壁１８Ａａ，１８Ａｂの幅が頂部から底部に向かうほど狭くなるため、凹み１８Ａにまいた種子２６は、凹み１８Ａの頂部から底部の間の高さのどこかの位置で、両壁１８Ａａ，１８Ａｂの間に挟まれて保持された形となり、発芽や発根の仕方が安定する。
なお、凹み１８Ａの両壁１８Ａａ，１８Ａｂは、表面が滑らかでなく細かい凹凸があって種子２６との接触抵抗が大きい方がよく、また、弾性を有する方がよい。これは両壁１８Ａａ，１８Ａｂの間に挟まれた種子２６が、凹み１８Ａ内にしっかり保持されるためである。固化培地３Ａがピートモスを主体とする材質の場合、通常この条件を満たす。
【００２２】
図７，８に別の野菜栽培器具を示す。図７，８において、図１〜３の野菜栽培器具の各部位に対応する部位に同じ番号を付与し、かつ番号の末尾に符号Ｂを付記している。  
この野菜栽培器具において、図１〜３の野菜栽培器具との主たる相違点は、固化培地３Ｂが、穴２７が形成されたベース部２８と前記穴２７に嵌められたブロック部２９からなる点と、ブロック部２９に畝１７Ｂが１条のみ形成されている点と、畝１７Ｂの頂部に形成された筋状の凹み１８ＢがＶ字形をなしている点である。
穴２７及びブロック部２９の平面視形状は、図８に示す円形に限らず、例えば正方形、長方形、楕円形又はレーストラック形、あるいはこれらに類似の形状等、任意の形状とすることができる。ブロック部２９に複数条の畝２８Ｂを形成することもできる。また、ベース部２８とブロック部２９は同じ材質からなっていても、互いに異なる材質からなっていてもよい。
【００２３】
固化培地３Ｂにおいて、ブロック部２９は穴２７に嵌脱可能であり、例えば野菜を収穫後に形崩れしたブロック部２９（ブロック部２９が最も形崩れしやすい）を取り外し、新しいブロック部を嵌め入れることにより、野菜の栽培を再開することができる。これは、固化培地３Ｂ全体を取り替える場合（図１〜３の固化培地３は全体を取り替える必要がある）に比べゴミの発生量が減り、かつコスト的に有利である。
あるいは、ベース部２８からブロック部２９を取り外し、ポット苗（土付き苗）を土付きのまま穴２７に入れて育てることもできる。この場合、穴２７の平面視形状が十分大きければ、複数個のポット苗を穴２７に入れて育てることができる。
【００２４】
図９に別の野菜栽培器具を示す。図９において、図７の野菜栽培器具の各部位に対応する部位に同じ番号を付与し、かつ番号の末尾に符号Ｃを付記している。  
この野菜栽培器具において、図７の野菜栽培器具との相違点は、固化培地３Ｃに形成された穴２７Ｃが閉じた底面３１を有する点である。
この野菜栽培器具は、図７の野菜栽培器具と基本的に同じ機能を有するが、穴２７Ｃに底面３１が形成されているため、ポット苗を土付きのまま穴２７Ｃに入れた場合に、土が栽培容器２Ｃ内に散らばったり、下方の貯水容器１Ｃ内にこぼれたりせず、使い勝手がよい。
【符号の説明】
【００２５】
１，１Ａ，１Ｂ，１Ｃ  貯水容器
２，２Ａ，２Ｂ，２Ｃ  栽培容器
３，３Ａ，３Ｂ，３Ｃ  固化培地
４  水
５，５Ａ，５Ｂ，５Ｃ  給水ひも
６  脚部
１７，１７Ａ，１７Ｂ，１７Ｃ  固化培地の畝
１８，１８Ａ，１８Ｂ，１８Ｃ  畝の凹み
【図１】
2014000073.tif 000003
【図２】
2014000073.tif 000004
【図３】
2014000073.tif 000005
【図４】
2014000073.tif 000006
【図５】
2014000073.tif 000007
【図６】
2014000073.tif 000008
【図７】
2014000073.tif 000009
【図８】
2014000073.tif 000010
【図９】
2014000073.tif 000011